(57)【要約】【課題】激しい振動や共振によって落下する危険を抑制した吊り下げ形照明装置を提供することを目的とする。【解決手段】吊り棒の端部にねじ部を形成し、このねじ部に組み込まれた一対のナット、またはナットと吊り棒段差部との組み合わせによる挟み込み構造を有し、このねじ部に組み込まれたナットを回転し、締め付けることにより灯具を固定し、この灯具が取り付けられる造営材に吊りさげられた状態で、重力によって荷重を受ける側のナットは、吊り下げ状態における前記ナットの回転を抑制する回り止め構造が設けられている照明装置とする。【選択図】図３
2019009059.tif 000002
【特許請求の範囲】
【請求項１】
吊り棒を介して灯具が造営材に吊り下げ固定される吊り下げ形照明装置において、
前記吊り棒の端部にはねじ部が形成され、
このねじ部に組み込まれた一対のナット、またはナットと吊り棒段差部との組み合わせによる挟み込み構造を有し、
前記灯具が前記造営材に吊り下げ固定された状態で重力による荷重がかかるナットを回転させない構造としたことを特徴とする吊り下げ形照明装置。
【請求項２】
前記挟み込み構造により前記造営材に固定された前記吊り棒で、前記灯具が前記造営材に吊り下げ固定されていることを特徴とする請求項１に記載の吊り下げ形照明装置。
【請求項３】
前記造営材に固定された吊り金具をさらに備え、
前記吊り棒が前記灯具に固定され、
前記吊り金具と前記吊り棒を接続固定することで前記灯具が前記造営材に吊り下げ固定されていることを特徴とする請求項１に記載の吊り下げ形照明装置。
【請求項４】
前記吊り金具は前記吊り棒が横から嵌るＵ字溝を備え、
前記吊り棒のねじ部に取り付けられた複数の多角形ナットにより前記Ｕ字溝の上下面を挟むことで、前記吊り金具と前記吊り棒とが接続固定されている請求項３に記載の吊り下げ形照明装置。
【請求項５】
前記Ｕ字溝の溝巾は前記吊り棒の外径より大きく且つ前記多角形ナットの二面巾より小さい寸法であり、
前記Ｕ字溝の、灯具取付側と反対の面には、前記多角形ナットの二面巾より大きく且つ前記多角形ナットの最大径より小さい間隔寸法の壁部を有する凹部が設けられ、
前記多角形ナットのうち、前記灯具が前記造営材に吊り下げ固定された状態で重力による荷重がかかるナットが前記凹部の壁部により回転が抑制されるように構成されている請求項４に記載の吊り下げ形照明装置。
【請求項６】
灯具に連結された複数の吊り棒を備え、この吊り棒のうち１本が端子箱を用いて前記造営材に固定され、
他の吊り棒が、前記吊り金具と前記吊り棒を接続固定することで前記灯具が前記造営材に吊り下げ固定されていることを特徴とする請求項３ないし５のいずれか一項に記載の吊り下げ形照明装置。
【発明の詳細な説明】
【技術分野】
【０００１】
本発明は、天井などの造営材に固定される吊り下げ形照明装置に関する。
【背景技術】
【０００２】
従来、吊り下げ形照明装置は、灯具と、この灯具に連結された吊り棒とを備え、吊り棒が天井や梁などの造営材に固定されることによって造営材取付面から吊り下げられている（例えば、特許文献１参照）。この特許文献１には本体の回転を防止するためにダブルナットで締め付け固定する構造や、吊り棒に突起やスリットを設けて灯具本体凹部と組み合わせて灯具本体の回転をより確実に抑制しようとする構造が開示されている。同文献には単純にダブルナットで締め付けるだけでは振動や風圧などにより徐々にナットが緩み、器具本体が回転することがあるという開示もある。通常１本の吊り棒で灯具を吊り下げる構造の照明装置では、吊り棒が中空のパイプ状になっていて、その中を給電線が通っているものが多い。また蛍光灯などの長尺形状の吊り下げ形照明装置では、複数の吊り棒のうち給電線が通る吊り棒を造営材に固定された端子箱に接続固定し、端子箱内においては、造営材取付面に設けられた電線管を通された電源線と、吊り棒内を通された灯具の口出線とが結線され、その他の吊り棒は吊り金具に固定されている（例えば、特許文献２参照）。この種の吊り下げ形照明装置では、工場などの天井近くで結線作業と灯具固定作業をおこなう必要があるため、取り付け作業性を向上させることが望まれており、結線後の灯具固定作業を簡潔にするため、吊り棒を通す取付金具にＵ字溝を設け、吊り棒を横から溝に入れることで簡易に固定できるような技術も開示されている（例えば、特許文献３参照）。
【先行技術文献】
【特許文献】
【０００３】
【特許文献１】特開平０９―０２７２１１号公報
【特許文献２】実用新案第３００８６７６号公報
【特許文献３】特開２０１４―０２６９９３７号公報
【発明の概要】
【発明が解決しようとする課題】
【０００４】
ところで、吊り下げ形照明装置は、比較的重量がある上、例えば工場の天井など比較的高い位置に設けられるため、容易に取り付け可能な構造が望まれる一方、工場や倉庫などの天井で激しい振動が加わる箇所に取り付けられる場合もあるため、厳しい振動試験をおこなってそれに合格したものだけが製品として市場に売り出される。本発明は、上述した事情に鑑みてなされたものであり、激しい振動や共振周波数の振動が加わっても吊り棒が外れたり落下したりしない吊り下げ形照明装置を提供することを目的とする。
【課題を解決するための手段】
【０００５】
上記目的を達成するために、本発明は、吊り棒を介して灯具が造営材に吊り下げ固定される吊り下げ形照明装置において、前記吊り棒の端部にはねじ部が形成され、このねじ部に組み込まれた一対のナット、またはナットと吊り棒段差部との組み合わせによる挟み込み構造を有し、前記灯具が前記造営材に吊り下げ固定された状態で重力による荷重がかかるナットを回転させない構造とした、ことを特徴とする。
【０００６】
上記構成において、前記挟み込み構造により前記造営材に固定された前記吊り棒で、前記灯具が前記造営材に吊り下げ固定されてもよい。
【０００７】
上記構成において、前記照明装置が、前記造営材に固定された吊り金具をさらに備え、前記吊り棒が前記灯具に固定され、前記吊り金具と前記吊り棒を接続固定することで前記灯具が前記造営材に吊り下げ固定されてもよい。
【０００８】
上記構成において、前記吊り金具は前記吊り棒が横から嵌るＵ字溝を備え、前記吊り棒のねじ部に取り付けられた複数の多角形ナットにより前記Ｕ字溝の上下面を挟むことで、前記吊り金具と前記吊り棒とが接続固定されてもよい。
【０００９】
上記構成において、前記Ｕ字溝の溝巾は前記吊り棒の外径より大きく且つ前記多角形ナットの二面巾より小さい寸法であり、前記Ｕ字溝の、灯具取付側と反対の面には、前記多角形ナットの二面巾より大きく且つ前記多角形ナットの最大径より小さい間隔寸法の壁部を有する凹部が設けられ、前記多角形ナットのうち、前記灯具が前記造営材に吊り下げ固定された状態で重力による荷重がかかるナットが前記凹部の壁部により回転が抑制されるように構成されていてもよい。
【００１０】
上記構成において、前記照明装置が、灯具に連結された複数の吊り棒を備え、この吊り棒のうち１本が端子箱を用いて前記造営材に固定され、他の吊り棒が、前記吊り金具と前記吊り棒を接続固定することで前記灯具が前記造営材に吊り下げ固定されていてもよい。
【発明の効果】
【００１１】
本発明によれば、ねじ部を有する吊り棒をナットで締め付けることで灯具を造営材に固定する形式の吊り下げ形照明装置において、照明装置の取り付け作業性を向上できると共に、激しい振動や共振周波数の振動がかかる環境に取り付けられた場合にもナットが外れて灯具が落下することの無い照明装置を実現できる。
【図面の簡単な説明】
【００１２】
【図１】本発明の実施形態に係る吊り下げ形照明装置を示す正面図である。
【図２】図１の吊り下げ形照明装置を示す斜視図である。
【図３】本発明に係る吊り金具を示す図であり、（Ａ）は平面図、（Ｂ）は正面図である。
【図４】本発明の実施形態に使用されるナットの説明図である。
【図５】本発明に係る吊り金具の特徴点を従来例と比較した図であり、（Ａ）は本発明の実施例、（Ｂ）は従来例である。
【図６】給電線側吊り棒及び端子箱を示す斜視図である。
【図７】本発明の実施形態に係る吊り下げ形照明装置の造営材への取付方法を説明する図である。
【図８】本発明の変形例を示す図である。
【図９】本発明の他の変形例を示す図である。
【発明を実施するための形態】
【００１３】
以下、図面を参照して本発明の実施形態について説明する。
図１は実施形態に係る吊り下げ形照明装置を示す正面図であり、図２は吊り下げ形照明装置を示す斜視図である。
吊り下げ形照明装置１は、例えば工場等の比較的高い天井などの造営材取付面Ｓから吊り下げられる照明装置であり、灯具１０と、この灯具１０に連結された一対の吊り棒２，３とを備えている。灯具１０は、光源（ＬＥＤ光源）１１を本体１２の下面に支持して構成されている。光源１１は、例えば、蛍光灯に似せた棒状のＬＥＤ光源であり、本実施形態では、２本設けられている。本実施形態は防爆形照明装置となっている。
本体１２は長手の箱体であり、本体１２の長手方向に沿って光源１１が設けられている。本体１２内には光源１１に電力を供給する電源装置（不図示）が収容され、電源装置には口出線等が接続される。電源装置からの口出線Ｌ１（図７参照）は、給電線側吊り棒３内を通って給電線側吊り棒３の上端部３Ｂから露出している。
【００１４】
一対の吊り棒２，３は、中空に形成されたパイプであり、本体１２の上面１２Ａに離間して連結されている。より具体的には、本体１２の上面１２Ａには、吊り金具側吊り棒２，給電線側吊り棒３を螺合するための２つの固定具１３が離間して取り付けられており、各吊り棒２，３は、下端２Ａ，３Ａが固定具１３に螺合されることにより本体１２に固定されている。吊り金具側吊り棒２の上端部２Ｂは吊り金具２０を用いて造営材取付面Ｓに固定され、給電線側吊り棒３の上端部３Ｂは端子箱４０を用いて造営材取付面Ｓに固定されている。
造営材取付面Ｓには、商用電源等の電源線Ｌ２（図７参照）を通す電線管Ｐが固定されており、吊り金具２０は、電線管Ｐを跨ぐように造営材取付面Ｓに固定されている。
【００１５】
図３は吊り金具側吊り棒２及び吊り金具２０を示す図であり、図３（Ａ）は平面図、図３（Ｂ）は正面図である。図４は、本実施形態に使用されるロックナットの説明図である。
図３（Ｂ）に示すように、吊り金具側吊り棒２の上端部２Ｂにはねじ部２Ｃが形成されており、このねじ部２Ｃに２つのロックナット（支持具）４Ａ４Ｂが相互に離間して螺合されている。
【００１６】
吊り金具２０は、例えばアルミダイキャスト等の鋳物であり、対向する一対の壁部２１と、これら一対の壁部２１を繋ぐ底部２２とを備えて正面視略Ｕ字状に形成されている。各壁部２１の上端には、外側に延出する固定部２３が設けられており、これらの固定部２３が造営材取付面Ｓにねじ止めされることで吊り金具２０が造営材取付面Ｓ（図１）に固定される。
底部２２には、吊り金具側吊り棒２のロックナット４Ａ４Ｂが両側から当接し、吊り金具側吊り棒２のねじ部２Ｃの長さＭは、底部２２と、当該底部２２に当接した２つのロックナット４Ａ４Ｂとの高さの和よりも長く形成されている。
【００１７】
底部２２には、吊り金具側吊り棒２を挿通させる、Ｕ字状に切り欠いたＵ字溝２４が形成されている。Ｕ字溝２４は、Ｕ字の開口を吊り金具２０を正面から見て正面側または背面側に配置してなる。Ｕ字溝の溝巾は吊り金具側吊り棒２の外径より大きく且つ前記六角ナットの二面巾より小さい寸法である。
【００１８】
底部２２には、図３に示すように、Ｕ字溝２４の開口部両側に、座面２２Ａ，２２Ｂ（図５参照）よりも高くなったストッパ２２Ｃが形成されており、このストッパ２２ＣがＵ字溝２４に嵌った吊り金具側吊り棒２が当該Ｕ字溝２４から横へ脱出することを阻止する。したがって、吊り金具側吊り棒２をＵ字溝２４に挿通する際には、ロックナット４Ａ４Ｂ間を、ストッパ２２Ｃの高さよりも大きくする。
【００１９】
図４は本実施形態において使用されるロックナット４Aあるいは４Bの寸法関係を示す説明図である。ＪＩＳ規格で規定される「六角ナット」と同じ形状であり、二面幅寸法をＢと表記し、ナットが回転するときに最大値となる幅をｅと表記する。本実施形態に使用するロックナットは六角ナットである必要はないが、特にロックナット４Ａは平面形状が偶数角の多角形ナットである必要はあり、８角形以下４角形以上が好ましい。すなわち４角形、６角形、８角形のいずれかとなる。ロックナット４Ｂは締め付けることができればどのような形状でもよいが、ロックナット４Ａと同じであってもよい。
【００２０】
図５は本発明に係る吊り金具の特徴点を従来例と比較した図であり、（Ａ）は本発明吊り金具の実施例、（Ｂ）は従来技術による吊り金具の例である。両者を比較すると判るように、従来例（Ｂ）では、吊り金具１２０における両側の壁部１２１はロックナット４Ａの最大幅ｅより広い間隔ｅ０となっており、吊り棒２を吊り金具１２０に取り付けた状態でロックナット４Ａは座面１２２Ａ１２２Ｂの上部に接触した状態で回転することができる。
【００２１】
一方本発明の実施例においては吊り金具２０における両側の壁部２１はロックナット４Ａの最大幅ｅより広い間隔ｅ０に設定されているが、ロックナット４Ａが接触する座面２２Ａ２２Ｂの上部（灯具取付側と反対の面）に隣接して凹部２５が形成されている。凹部２５の両側の壁部間隔は、使用されるロックナット４Ａの二面幅Ｂの寸法よりわずかに大きい間隔Ｂ０に設定されており、ロックナット４Ａが座面２２Ａ２２Ｂの上部に接触して凹部に収まっている状態ではロックナット４Ａが回転できないようになっている。
【００２２】
凹部２５の両側の壁部間隔は使用するロックナットの二面巾Ｂより大きく、最大径ｅより小さい寸法であれば、ロックナットの回転を抑制することができるが、吊り棒の共振によるがたつきを避けるためには、凹部の壁部間隔Ｂ０をロックナットの二面巾Ｂよりわずかに大きい程度、具体的には０．５ｍｍから２ｍｍ以下が好ましく、比率で表すと二面巾Ｂの１０２％から１１０％程度に設定することが好ましい。本実施形態では、凹部２５は吊り金具２０に一体成形されているが、凹部２５の壁部間隔と同様の間隔Ｂ０を有する部材を別に作成し、吊り金具の座面に固定しておいてもよい。
【００２３】
図６は、給電線側吊り棒３及び端子箱４０を示す斜視図である。給電線側吊り棒３の上端部３Ｂには円盤状のフランジ５が設けられている。より詳細には、給電線側吊り棒３の上端部３Ｂにはねじ部が形成されており、このねじ部がフランジ５の中心に形成されたねじ孔に螺合されている。ここで、給電線側吊り棒３とフランジ５は組み立て後に取り外せないように組み立てられるので、フランジ付吊り棒として一体化されていると考えてよい。
【００２４】
端子箱４０は略円筒状に形成され、端子箱４０の側面（外周面）には外側に延出する複数の固定部４１が設けられており、この固定部４１が造営材取付面Ｓにねじ止めされることで端子箱４０が造営材取付面Ｓ（図１）に固定される。
また、端子箱４０の側面には、電線管Ｐ（図１）を接続するための複数の接続部４２が設けられている。本実施形態では、２つの接続部４２が対向するように計４つの接続部４２が形成され、接続部４２間のそれぞれに固定部４１が形成されている。接続部４２は端子箱４０の側面から外側に筒状に突出する部材であり、接続部４２内には電線管Ｐをねじ込むためのねじ込み部４２Ａが形成されている。ねじ込み部４２Ａは、端子箱４０を貫通して端子箱４０の中空部に連通している。
【００２５】
端子箱４０内には、給電線側吊り棒３を仮留めするための引っ掛け金具（図示せず）が取り付けられており、給電線側吊り棒３のフランジ５の上面にねじ固定したチェーン３２を端子箱４０内の引っ掛け金具に引っ掛けることで、給電線側吊り棒３が端子箱４０に仮留めされる。
【００２６】
端子箱４０は、給電線側吊り棒３のフランジ５を該端子箱４０に連結する連結リング５０を備えている。連結リング５０は、端子箱４０に組み付けて固定することで、端子箱４０に回転可能に支持される。
【００２７】
次に、吊り下げ形照明装置１の組み付け方法について説明する。図７は、取り付け途中の吊り下げ形照明装置１を示す正面図である。
【００２８】
まず、吊り金具２０及び端子箱４０を造営材取付面Ｓに固定するとともに、端子箱４０に電線管Ｐを接続し、電線管Ｐを通る電源線Ｌ２を、端子箱４０の接続部４２から端子箱４０内及び連結リング５０内を通して連結リング５０の下部から露出させる。
【００２９】
次に、図３に示すように、吊り金具側吊り棒２を吊り金具２０のＵ字溝２４に挿入する。このＵ字溝２４は、吊り金具側吊り棒２が横から嵌るＵ字状に形成されているため、吊り金具側吊り棒２をＵ字溝２４に横から嵌めるだけで、吊り金具側吊り棒２を吊り金具２０に容易に係合させることができる。このとき、ロックナット４Ａ４Ｂは、吊り金具２０の底部２２（ストッパ２２Ｃ）の厚みよりも大きく離間されている。
【００３０】
次いで、給電線側吊り棒３のフランジ５の上面にねじ固定したチェーン３２を端子箱４０内の引っ掛け金具に引っ掛けて、給電線側吊り棒３を仮留めし、この状態で、給電線側吊り棒３から延びる口出線Ｌ１と、端子箱４０から延びる電源線Ｌ２とを結線する。
【００３１】
その後、連結リング５０を用いて、フランジ５と端子箱４０とを接続固定する。
【００３２】
最後に、図１に示すように、吊り金具側吊り棒２のロックナット４Ａ４Ｂを締めて、吊り下げ形照明装置１の組み付けが完成する。上側のロックナット４Ａは適当に締めて高さ調整したところで、吊り金具２０の凹部２５へ収める。凹部の壁部間隔はロックナット４Ａの二面巾Ｂよりわずかに広くなっているので、ロックナット４Ａの二面巾と凹部の壁が平行になる位置でロックナット４Ａが凹部２５内に収まり、それ以上回転できない。
【００３３】
更にロックナット４Ｂを締めて、図３のように吊り金具側吊り棒２と吊り金具２０とを接続固定する。このように吊り金具２０は吊り金具側吊り棒２のねじ部に取り付けられた２つのロックナットにより前記Ｕ字溝の上下面を挟むことで接続固定されている。２つのロックナット４Ａ４Ｂ間の距離はストッパ２２Ｃの高さより小さくなっているため、風圧荷重等の力がかかっても、ストッパ２２ＣによってＵ字溝２４に嵌った吊り金具側吊り棒２の当該Ｕ字溝２４から横への脱出を阻止できる。
【００３４】
ところで取付後には、灯具１０に固定された吊り金具側吊り棒２が重力により下側に引っ張られるため、上側のロックナット４Ａには常に荷重がかかっている。この状態で照明装置１に激しい振動、特に吊り棒付近が共振する周波数の振動を与えると、吊り棒が激しく動いてロックナット４Ａが緩む方向に回転させる力が発生する。しかし本発明の構成によれば、ロックナットＡが回転しない構造となっているため、どんな振動が与えられてもロックナットが緩んで吊り金具から外れることは無い。
【００３５】
なお重力による荷重がかからない下側のロックナットＢは、どんな振動が与えられてもロックナットが緩まないため、回り止め構造を採用する必要は無い。
【００３６】
以上説明したように、本実施形態によれば、灯具１０に連結された吊り金具側吊り棒２を備え、吊り金具側吊り棒２は、吊り金具２０を用いて造営材取付面Ｓに固定され、吊り金具２０が、吊り金具側吊り棒２が横から嵌るＵ字溝２４を備え、さらに造営材Ｓに吊り下げ固定された状態で重力による荷重がかかるロックナット４Ａを凹部２５に収めて回転させない構造としたことで、吊り金具側吊り棒２を吊り金具２０に容易に係合させることができ、吊り下げ形照明装置１の取り付け作業性を向上できるうえにどんな振動が与えられても灯具が吊り金具から外れない照明装置となる。
【００３７】
但し、上記実施形態は本発明の一態様であり、本発明の趣旨を逸脱しない範囲において適宜変更可能であるのは勿論である。例えば、上記実施形態では、灯具１０は光源として棒状のＬＥＤ光源を備えていたが、光源はこれに限定されるものではなく、例えば、ＳＭＤなどのＬＥＤ素子を含む基板を灯具の本体１２に直接取り付けた構造であってもよい。また、上記実施形態では、一対の半割のリング体５１を止め具としてのねじ５３で結合したが、リング体５１の止め具はねじに限定されるものではない。
【００３８】
また、上記実施形態では、吊り下げ形照明装置１は、棒状の光源１１を支持すべく一対の吊り棒２，３を備えていたが、これに限定されるものではなく、例えば、吊り棒２のみを備えていてもよい。
【００３９】
例えば、図８に示すように、吊り金具を使用せず、造営材の取付面Ｓに吊り棒２０２を固定し、吊り棒２０２の下端２０２Ｂに一段径を小さくしたねじ部を設け、灯具本体２１２の上部を吊り棒２０２の段差面２０２Ｃとロックナット２０４Ａとで挟み込むことで灯具を固定するような構成であってもよい。この実施形態において、吊り棒２０２は中空であり、内部には給電線Ｌが通っている。
【００４０】
図８に示す構造では、造営材に吊り下げ固定された状態で重力による荷重がかかるナットは、灯具の下側にあるロックナット２０４Ａとなる。従ってこのロックナット２０４Ａを回り止め構造にする必要がある。
【００４１】
ロックナットの回り止め機構としては、周知の技術及び市販品を広く利用可能である。ただし、ＪＩＳＢ１１７０に規定されているような溝付ナットを用いて、吊り棒に穴を開け、スプリングピンなどを打ち込んで回り止めする方法は、本発明に係る照明装置を取り付ける際にピンを打ち込む穴を現場で開ける必要があり、高所での機械加工が必要となるため好ましくない。
【００４２】
吊り棒が薄肉パイプでなければ、吊り棒ねじ部の表面にキー溝を形成することでＪＩＳＢ１５５４に規定されている転がり軸受け用ロックナットのＡＮと座金ＡＷを組み合わせてロックナットのゆるみ止めが可能である。単に同じねじ規格のナットを２つ組み合わせたダブルナットでもある程度の効果はあるが、前述の特許文献１に記載されているとおり、振動が加わる場所に灯具を取り付けると問題が生じるかもしれない。本発明の主旨に従って確実な回り止め効果を得るためには、公知の様々な緩み止めナット構造（例えば実公平３−５６８号公報参照）を利用可能である。また寸法が合えば、「ハードロックナット」（商品名）などの市販品を利用してもよい。
【００４３】
吊り棒に設けられるねじはＪＩＳＢ０２０５に規定されるメートルねじまたはメートル細目ねじでよい。またパイプに使用されるねじ、例えばＪＩＳＢ０２０２に規定される「Ｇ」規格でもよい。
【００４４】
なお、図８に示すように、吊り棒２０２に係合凸部２２７を設け、灯具本体２１２の上部に係合凹部２２６を設け、係合凸部２２７が係合凹部２２６に係合することで灯具本体２１２が回転しない構造としてもよい。
【００４５】
図９に示す照明装置は、造営材取付面Ｓに取付部材３４０を固定し、取付部材３４０に吊り棒３０２を固定し、吊り棒３０２の下端部３０２Ｂには吊り棒３０２の外径と同寸法のねじ部が設けられており、吊り棒３０２の下端部３０２Ｂが灯具の本体３１２の上部に挿入され、上下一対のロックナット３０４Ａ３０４Ｂで灯具の本体３１２の上部を締め付け固定している。このような構造では、造営材に吊り下げ固定された状態で重力による荷重がかかるナットは、灯具の下側にあるロックナット３０４Ａとなり、ロックナット３０４Ａを回り止め構造にすることで同様の効果を得ることができる。上側のロックナット３０４Ｂは回り止め構造である必要は無い。
【００４６】
図１から図７に示す実施例のように、吊り棒を灯具本体に固定して造営材に固定した吊り金具２０と接続させる構造であれば、本実施形態のように吊り金具２０にロックナット４Ａの二面巾よりわずかに大きい壁間隔の凹部２５を設け、重力方向上側のロックナット４Ａを凹部２５に収める構成が、追加部品を必要とせず、ロックナットで挟み込み固定する吊り金具底部２２の厚さが不必要に厚くなることもないので最も好ましい。
【００４７】
また図９に示す構造において、灯具の本体３１２の上部のうち下側のロックナット３０４Ａが接触する箇所の周囲にロックナットＡの二面巾よりわずかに大きい間隔の壁部を有する凹部を形成するか、同様の壁部を形成する部材を灯具の本体３１２上部の下面に固定することによって、図３に示す実施例と同じ効果を得ることができる。
【００４８】
この構造においては、まず下側のロックナット３０４Ａを適当に締めて高さ調整したところで、灯具の本体３１２の凹部（図示せず）へ収める。凹部の壁部間隔はロックナット３０４Ａの二面巾Ｂよりわずかに広くなっているので、ロックナット３０４Ａの二面巾と凹部の壁が平行になる位置でロックナット３０４Ａが凹部内に収まり、それ以上回転できない。更に上側のロックナット３０４Ｂを締めて、図９のように吊り金具側吊り棒３０２と灯具の本体３１２とを接続固定する。
【００４９】
上記の通り、本発明の構成により、従来実施されていた種々の吊り下げ形照明装置にわずかな工夫を加えるだけで、激しい振動や共振によって落下する危険を抑制した吊り下げ形照明装置を提供することができる。
【符号の説明】
【００５０】
１  吊り下げ形照明装置
２，３  吊り棒
３Ｂ  上端
４Ａ，４Ｂ  ロックナット（支持具）
５  フランジ
１０  灯具
２０  吊り金具
２２Ａ，２２Ｂ  座面
２２Ｃ  ストッパ
２４  Ｕ字溝
２５  凹部
４０  端子箱
４２  接続部
５０  連結リング
５０Ａ  内周面
５１  リング体
５３  ねじ（止め具）
Ｓ  造営材取付面 
【図１】
2019009059.tif 000003
【図２】
2019009059.tif 000004
【図３】
2019009059.tif 000005
【図４】
2019009059.tif 000006
【図５】
2019009059.tif 000007
【図６】
2019009059.tif 000008
【図７】
2019009059.tif 000009
【図８】
2019009059.tif 000010
【図９】
2019009059.tif 000011